(57)【要約】【課題】安定性に優れ、保存後も優れた漂白力を示す酸素系液体漂白剤組成物を提供する。【解決手段】（ａ）過酸化水素又は水中で過酸化水素を生成する化合物、（ｂ）水酸化テトラプロピルアンモニウム等の一般式（１）で表される特定の化合物、（ｃ）一般式（２）で表される漂白活性化剤、（ｄ）界面活性剤、並びに、（ｅ）ホウ酸、ホウ砂、及びホウ酸塩から選ばれる少なくとも１種の化合物を混合して得られた、２０℃におけるｐＨが４〜７の液体漂白剤組成物。【選択図】なし【特許請求の範囲】
【請求項１】
（ａ）過酸化水素又は水中で過酸化水素を生成する化合物、（ｂ）一般式（１）で表される化合物、（ｃ）一般式（２）で表される漂白活性化剤、（ｄ）界面活性剤、並びに、（ｅ）ホウ酸、ホウ砂、及びホウ酸塩から選ばれる少なくとも１種の化合物を混合して得られた、２０℃におけるｐＨが４〜７の液体漂白剤組成物。
【化１】
2007308595.tif 000010
〔式中、Ｒ1aは、エステル基、アミド基又はエーテル基で分断されていても良い炭素数１〜１２のアルキル基もしくはアルケニル基、又はベンジル基であり、そしてＲ1b、Ｒ1c及びＲ1dは、それぞれ独立に、エステル基、アミド基又はエーテル基で分断されていても良い炭素数１〜６のアルキル基もしくはアルケニル基もしくはヒドロキシアルキル基、あるいは水素原子である。〕
Ｒ2−Ｃ（＝Ｏ）−ＬＧ          （２）
〔式中、Ｒ2は、炭素数６〜１３の直鎖又は分岐鎖のアルキル基もしくはアルケニル基、アリール基、又はアルキル基（炭素数１〜８）置換アリール基である。ＬＧは脱離基である。〕
【請求項２】
（ｄ）成分として組成物中４５質量％〜８０質量の非イオン界面活性剤を含有する、請求項１に記載の液体漂白剤組成物。
【請求項３】
更に、（ｆ）隣り合う炭素原子の両方にそれぞれ１つヒドロキシ基を有する部位が１つ以上存在する化合物を含有する、請求項１又は２に記載の液体漂白剤組成物。
【請求項４】
（ａ）過酸化水素又は水中で過酸化水素を生成する化合物、（ｂ）一般式（１）で表される化合物、（ｃ）一般式（２）で表される漂白活性化剤、（ｄ）界面活性剤、並びに、（ｅ）ホウ酸、ホウ砂、及びホウ酸塩から選ばれる少なくとも１種の化合物を混合する工程を有する、２０℃におけるｐＨが４〜７の液体漂白剤組成物の製造方法。
【化２】
2007308595.tif 000011
〔式中、Ｒ1aは、エステル基、アミド基又はエーテル基で分断されていても良い炭素数１〜１２のアルキル基もしくはアルケニル基、又はベンジル基であり、そしてＲ1b、Ｒ1c及びＲ1dは、それぞれ独立に、エステル基、アミド基又はエーテル基で分断されていても良い炭素数１〜６のアルキル基もしくはアルケニル基もしくはヒドロキシアルキル基、あるいは水素原子である。〕
Ｒ2−Ｃ（＝Ｏ）−ＬＧ          （２）
〔式中、Ｒ2は、炭素数６〜１３の直鎖又は分岐鎖のアルキル基もしくはアルケニル基、アリール基、又はアルキル基（炭素数１〜８）置換アリール基である。ＬＧは脱離基である。〕
【発明の詳細な説明】
【技術分野】
【０００１】
本発明は、液体漂白剤組成物に関する。
【背景技術】
【０００２】
酸素系漂白剤は、手軽に安全にしかも色柄物を含む幅広い衣料に使用できるという点で広く受け入れられ衣料用漂白剤の中心である。酸素系漂白剤には、形態では液体タイプと粉末タイプの物が商品化されている。酸素系液体漂白剤は、その使い勝手がよく、衣料用漂白剤の中核になっており、その使用形態は、全体使用と呼ばれる洗濯機に標準使用量を投入する方法と被洗物に対して直接塗布する使用方法がある。特に液体タイプの場合には直接塗布の時に、より高い漂白効果を発現しそれが商品特徴になっている。
【０００３】
酸素系液体漂白剤は、使用感の点から透明又は半透明であることが望ましく、製品に濁りが生じると商品価値を著しく低下させる。溶液の濁りを改善する方法として、特許文献１には、両性界面活性剤を添加することが開示されている。
【特許文献１】特開２００５−９７４３２号公報
【発明の開示】
【発明が解決しようとする課題】
【０００４】
しかし、これまでの酸素系液体漂白剤は、貯蔵安定性と漂白・洗浄効果について満足し得るものではなかった。本発明の課題は、溶液の安定性に優れ、保存後も優れた漂白活性化剤の安定性を有する酸素系液体漂白剤組成物（特に、透明又は半透明の酸素系液体漂白剤組成物）を提供することにある。
【課題を解決するための手段】
【０００５】
本発明は、（ａ）過酸化水素又は水中で過酸化水素を生成する化合物〔以下、（ａ）成分という〕、（ｂ）一般式（１）で表される化合物〔以下、（ｂ）成分という〕、（ｃ）一般式（２）で表される漂白活性化剤〔以下、（ｃ）成分という〕、（ｄ）界面活性剤〔以下、（ｄ）成分という〕、並びに、（ｅ）ホウ酸、ホウ砂、及びホウ酸塩から選ばれる少なくとも１種の化合物〔以下、（ｅ）成分という〕を混合して得られた、２０℃におけるｐＨが４〜７の液体漂白剤組成物に関する。
【０００６】
【化３】
2007308595.tif 000002
【０００７】
〔式中、Ｒ1aは、エステル基、アミド基又はエーテル基で分断されていても良い炭素数１〜１２のアルキル基もしくはアルケニル基、又はベンジル基であり、そしてＲ1b、Ｒ1c及びＲ1dは、それぞれ独立に、エステル基、アミド基又はエーテル基で分断されていても良い炭素数１〜６のアルキル基もしくはアルケニル基もしくはヒドロキシアルキル基、あるいは水素原子である。〕
Ｒ2−Ｃ（＝Ｏ）−ＬＧ          （２）
〔式中、Ｒ2は、炭素数６〜１３の直鎖又は分岐鎖のアルキル基もしくはアルケニル基、アリール基、又はアルキル基（炭素数１〜８）置換アリール基である。ＬＧは脱離基である。〕
【０００８】
また、本発明は、（ａ）成分、（ｂ）成分、（ｃ）成分、（ｄ）成分、並びに、（ｅ）成分を混合する工程を有する、２０℃におけるｐＨが４〜７の液体漂白剤組成物の製造方法に関する。
【発明の効果】
【０００９】
本発明によれば、過酸化水素等を配合した酸素系液体漂白剤組成物において、安定性の向上、特に、長期間保存後であっても優れた漂白性能が得られるという効果が奏される。
【発明を実施するための最良の形態】
【００１０】
［（ａ）成分］
本発明の液体漂白剤組成物は、（ａ）成分として過酸化水素又は水中で過酸化水素を生成する化合物を含有する。水中で過酸化水素を生成する化合物としては、過炭酸塩、過ホウ酸塩等が挙げられる。（ａ）成分の過酸化水素としての含有量は、液体漂白剤組成物中に好ましくは０．１〜６質量％、より好ましくは０．５〜５質量％、更に好ましくは１〜４．５質量％、より更に好ましくは１〜３質量％である。このような範囲において優れた漂白効果を得ることができる。
【００１１】
［（ｂ）成分］
本発明の液体漂白剤組成物は、（ｂ）成分として、下記一般式（１）で表される化合物を含有する。
【００１２】
【化４】
2007308595.tif 000003
【００１３】
（式中、Ｒ1aは、エステル基、アミド基又はエーテル基で分断されていても良い炭素数１〜１２のアルキル基もしくはアルケニル基、又はベンジル基であり、そしてＲ1b、Ｒ1c及びＲ1dは、それぞれ独立に、エステル基、アミド基又はエーテル基で分断されていても良い炭素数１〜６のアルキル基もしくはアルケニル基もしくはヒドロキシアルキル基、あるいは水素原子である。）
【００１４】
一般式（１）で表されるような対イオンが水酸化物イオンである化合物を用いることによって、例えば、対イオンがハロゲンイオンである化合物と比較して、良好な漂白活性化剤の安定性を実現することができる。
【００１５】
一般式（１）で表される好ましい化合物としては、水酸化テトラプロピルアンモニウム、水酸化テトラブチルアンモニウム及び水酸化ベンジルテトラメチルアンモニウムが挙げられる。
【００１６】
これらの化合物は、２種以上を使用してもよい。
【００１７】
（ｂ）成分は、本発明の液体漂白剤組成物のｐＨ調整にも用いることができる。すなわち、（ｂ）成分を用いて、液体漂白剤組成物の２０℃におけるｐＨを４〜７に調整することが好ましい。漂白活性化剤の安定性を向上させる観点から、原料の全仕込み量基準で、一般式（１）で表される化合物を０．０１質量％〜５質量％、好ましくは０．０５質量％〜３質量％、より好ましくは０．１質量％〜２質量％で配合し得る。
【００１８】
［（ｃ）成分］
本発明の液体漂白剤組成物は、（ｃ）成分として漂白活性化剤を含有する。
本明細書中において、漂白活性化剤とは、無機過酸化物と反応することで有機過酸を生成する化合物を意味する。本発明の漂白活性化剤としては、以下の一般式で表されるエステル結合を有する化合物が挙げられる。
Ｒ2−Ｃ（＝Ｏ）−ＬＧ          （２）
〔式中、Ｒ2は、炭素数６〜１３の直鎖又は分岐鎖のアルキル基もしくはアルケニル基、アリール基、又はアルキル基（炭素数１〜８）置換アリール基である。ＬＧは脱離基である。〕
【００１９】
式中、Ｒ2は、好ましくは炭素数６〜１３の分岐鎖のアルキル基である。ＬＧは脱離基であり、具体的には以下の基が挙げられる。
【００２０】
【化５】
2007308595.tif 000004
【００２１】
−Ｏ−Ｒ’−（Ｏ）p−ＳＯ3-及び−Ｏ−Ｒ’−（Ｏ）p−ＳＯ3Ｍ（ここでＲ’はアルキレン基、ｐは０又は１、Ｍは水素原子、アルカリ金属、又はアルカリ土類金属を表す。）が挙げられる。なお、Ｒ’のアルキレン基は、炭素数１〜５が好ましい。
【００２２】
本発明の好ましい（ｃ）成分として、カルボニル炭素に対してα位又はβ位に側鎖を有する総炭素数６〜１３のアルカノイル基を有する漂白活性化剤を使用し得る。このような漂白活性化剤は、アルカノイル基が直鎖である漂白活性化剤と比較して、弱酸性領域における貯蔵安定性の向上を確保できることから、より高い漂白効果及び高い洗浄効果を液体漂白剤組成物に付与することが可能となる。
【００２３】
具体的に好ましい化合物としては下記一般式（３）の化合物を挙げることができる。
【００２４】
【化６】
2007308595.tif 000005
【００２５】
〔式中、Ｒ3a−ＣＯは、カルボニル炭素に対してα位及びβ位の少なくとも一方に側鎖を有する総炭素数６〜１３、好ましくは７〜１３のアルカノイル基であり、Ｒ3a−は下記のα位分岐型又はβ位分岐型が好適である。
【００２６】
【化７】
2007308595.tif 000006
【００２７】
ここで、Ｒ3bは炭素数４〜１０のアルキル基であり、Ｒ3cはメチル基、エチル基、プロピル基及びブチル基から選ばれる基である。Ｘは−ＣＯＯＭ、及び−ＳＯ3Ｍから選ばれる基であり、Ｍは水素原子、アルカリ金属、又はアルカリ土類金属である。〕
【００２８】
本発明の（ｃ）成分としては一般式（２）においてＲ3a−ＣＯが２−エチルヘキサノイル基、３，５，５−トリメチルヘキサノイル基、２−エチルペンタンノイル基、又は３，６，８，８−テトラメチルノナノイル基が好ましく、特に３，５，５−トリメチルヘキサノイル基が最も好適である。また、Ｘが−ＣＯＯＨである化合物が好適であり、ｐ位に−ＣＯＯＨを有する化合物が最も好ましい。
【００２９】
本発明の液体漂白剤組成物中における（ｃ）成分の含有量は、好ましくは０．１〜１０質量％、より好ましくは０．２〜５質量％、特に好ましくは０．２〜２質量％である。
【００３０】
［（ｄ）成分］
本発明の液体漂白剤組成物は、（ｄ）成分として、特許庁公報「周知・慣用技術集（衣料用粉末洗剤）」日本国特許庁、平成１０年３月２６日、Ｐ４〜２２に記載されている、陽イオン界面活性剤、陰イオン界面活性剤、非イオン界面活性剤、及び両性界面活性剤を含有する。
【００３１】
本発明の液体漂白剤組成物は、（ｄ）成分の主成分として、非イオン界面活性剤を含有することが好ましい。非イオン界面活性剤としては下記一般式（４）の化合物が挙げられる。
Ｒ4a−Ｏ[(ＥＯ)a／(ＰＯ)b]−Ｈ                （４）
〔式中、Ｒ4aは炭素数１０〜１８、好ましくは１２〜１４の、アルキル基又はアルケニル基を示す。ａは数平均付加モル数０〜２０の数、ｂは数平均付加モル数０〜２０の数を示し、ａ及びｂの両者が０の場合を除く。好ましくはａの数平均付加モル数は６〜１５、より好ましくは７〜１２が良好であり、ｂの数平均付加モル数は０〜１０、より好ましくは１〜５、特に好ましくは１〜３の数である。〕
【００３２】
なお、一般式（４）においては、ＥＯとＰＯとはランダム共重合体又はブロック共重合体のいずれの形態で配列されていてもよい。
【００３３】
また、本発明の非イオン界面活性剤は、特にオキシエチレン基及びオキシプロピレン基を有するポリオキシアルキレンアルキルエーテル型非イオン性界面活性剤が好ましい。このポリオキシアルキレンアルキルエーテル型非イオン性界面活性剤は、ランダム共重合体又はブロック共重合体のいずれの形態で配列されていてもよく、その中でもブロック共重合体が好ましい。ブロック共重合体の形態としては、下記一般式（５）で表される化合物が特に好ましい。
Ｒ5a−Ｏ(ＥＯ)a(ＰＯ)b(ＥＯ)c−Ｈ            （５）
〔式中、Ｒ5aは炭素数１０〜１８、好ましくは１２〜１４の、アルキル基又はアルケニル基を示す。ａは数平均付加モル数１〜２０の数、ｂは数平均付加モル数１〜２０の数、ｃは数平均付加モル数１〜２０の数を示す。好ましくは、ａの数平均付加モル数は６〜１５、より好ましくは７〜１２が良好であり、ｂの数平均付加モル数は１〜１０、より好ましくは１〜５、特に好ましくは１〜３の数が良好であり、ｃの数平均付加モル数は６〜１５、より好ましくは７〜１２である。〕
【００３４】
本発明の非イオン界面活性剤は、２種以上の混合物として配合してもよい。
【００３５】
液体漂白剤組成物中における非イオン界面活性剤の含有量は、過酸化水素及び漂白活性化剤の安定性向上の観点から、好ましくは４５〜８０質量％、より好ましくは５０〜７５質量％、特に好ましくは５５〜７０質量％である。本発明の液体漂白剤組成物は、このような範囲で非イオン界面活性剤を高配合した場合でも良好な液感を実現し得る。
【００３６】
［（ｅ）成分］
本発明の液体漂白剤組成物は、（ｅ）成分としてホウ酸、ホウ砂及びホウ酸塩から選ばれる少なくとも１種の化合物を含有する。ホウ酸塩としては、ホウ酸ナトリウム、ホウ酸カリウム、ホウ酸アンモニウム、４ホウ酸ナトリウム、４ホウ酸カリウム、４ホウ酸アンモニウム等が挙げられる。
【００３７】
本発明の（ｅ）成分の含有量は、優れたｐＨジャンプ効果を達成させるための観点から、液体漂白剤組成物中においてホウ素原子として０．０５〜１質量％、好ましくは０．１５〜０．５質量％、より好ましくは０．２〜０．４質量％である。
【００３８】
［その他の成分］
［（ｆ）成分］
本発明の液体漂白剤組成物は、（ｆ）成分としてポリオール化合物を含有し得る。本発明において、ポリオール化合物とは、液体漂白剤組成物中で（ｅ）成分とモノ体又はジ体を形成し得る化合物であり（下記平衡反応の式を参照）、隣り合う炭素原子の両方にそれぞれ１つヒドロキシ基を有する部位が１つ以上存在する化合物、及び／又は３個以上のヒドロキシ基を有する化合物が好適である。更に、３個以上のヒドロキシ基を有し、且つ隣り合う炭素原子の両方にそれぞれ１つヒドロキシ基を有する部位が１つ以上存在するような構造を有する化合物も好ましい。（ｆ）成分の具体的例としては下記（１）〜（４）の化合物が好適であり、これらの化合物からなる群より選ばれる少なくとも１種以上を用いることができる。
【００３９】
（１）グリセリン、ジグリセリン、トリグリセリン、アルキル（炭素数１〜１０）ポリグリセリルエーテル（例えば、アルキル（炭素数１〜１０）ジグリセリルエーテル、アルキル（炭素数１〜１０）トリグリセリルエーテル）；
（２）ソルビトール、マンニトール、マルチトース、イノシトール、及びフィチン酸から選ばれる糖アルコール類；
（３）グルコース、アピオース、アラビノース、ガラクトース、リキソース、マンノース、ガロース、アルドース、イドース、タロース、キシロース、及びフルクトースから選ばれる還元糖類、及びこれらの誘導体（アルキル（ポリ）グリコシド等）；並びに
（４）デンプン、デキストラン、キサンタンガム、グアガム、カードラン、プルラン、アミロース、及びセルロースから選ばれる多糖類。
【００４０】
本発明では、特に上記（２）の糖アルコール類が好適であり、単独又は複数で用いることができる。特にソルビトールが安定性及び漂白／洗浄効果の点から好適である。
【００４１】
本発明の（ｆ）成分の含有量は、優れたｐＨジャンプ効果を達成させるための観点から、液体漂白剤組成物中において３〜３５質量％、好ましくは５〜３０質量％、より好ましくは１０〜２０質量％である。
【００４２】
一つの実施形態として、本発明の液体漂白剤組成物は、（ｅ）成分としてホウ酸、ホウ砂及びホウ酸塩から選ばれる化合物、並びに（ｆ）成分としてポリオール化合物から構成されるｐＨジャンプ系を、特定の組成及び比率で使用し得る。本発明の液体漂白剤組成物は、このような特定の組成及び比率を更に有することで、優れたｐＨジャンプ効果並びに優れた過酸化水素及び漂白活性化剤の安定性を発現し得る。
【００４３】
本発明では液体漂白剤組成物に対して１０００容積倍の水により希釈した場合の希釈液の２０℃におけるｐＨが８．５以上１０．５未満、好ましくは９以上９．５未満になることが漂白／洗浄効果を得る目的から好ましい。
【００４４】
ここで、（ｅ）成分と（ｆ）成分（α，β−ジヒドロキシ化合物）との間には下記の式のような平衡反応が存在する。
【００４５】
【化８】
2007308595.tif 000007
【００４６】
本発明においてはジ体がｐＨジャンプ系の主要成分であることが希釈溶液のｐＨを８．５以上１０．５未満にするために好適であり、液体漂白剤組成物中に存在する全ホウ素化合物に対して、ジ体の含有量が７０〜１００モル％であり、モノ体の含有量が０〜５モル％未満であり、そして単独で存在するホウ酸、ホウ砂及び／又はホウ酸塩の含有量が０〜２５モル％未満になるようにすることが好適である。本発明においては、（ｅ）成分１当量（例えば、ホウ砂及び４ホウ酸ナトリウムの場合はホウ素原子を４個含むため、４当量と考える）あたり（ｆ）成分を好ましくは１．５〜４モル、より好ましくは１．５〜２．７モル、更に好ましくは２〜２．７モル、特に好ましくは２．２〜２．７モル用いることで、優れたｐＨジャンプ効果、並びに過酸化水素及び漂白活性化剤の安定性が得られ得る。
【００４７】
なお、本発明では（ｅ）成分及び（ｆ）成分を液体漂白剤組成物に配合する場合には、一般に、液体漂白剤組成物中では上記モノ体、及びジ体の化合物に変換されている。本発明でいう（ｅ）成分の含有量とは、単独、モノ体及びジ体として存在する（ｅ）成分の全含有量を意味する。（ｆ）成分の含有量とは、単独、モノ体及びジ体として存在する（ｆ）成分の全含有量を意味する。
【００４８】
更に、本発明の組成物の液感を向上させる観点から、（ｅ）成分１当量（例えば、ホウ砂及び４ホウ酸ナトリウムの場合はホウ素原子を４個含むため、４当量と考える）あたり（ｂ）成分を、好ましくは０．０３〜５モル、より好ましくは０．０５〜２モル、更に好ましくは０．０６〜１モル用いる。
【００４９】
なお、変換されたモノ体及びジ体の含有量は、ホウ素（11Ｂ）のＮＭＲ分光法とＩＣＰ発光分析法との組合せを用いることで算出することができる。
【００５０】
［金属封鎖剤］
本発明の液体漂白剤組成物は、過酸化水素及び漂白活性化剤の安定性向上の観点から、金属封鎖剤を含有し得る。金属封鎖剤としては、ホスホン酸系が好ましく用いられる。その具体例としては、エタン−１，１−ジホスホン酸、エタン−１，１，２−トリホスホン酸塩、１−ヒドロキシエタン−１，１−ジホスホン酸、エタンヒドロキシ−１，１，２−トリホスホン酸、エタン−１，２−ジカルボキシ−１，２−ジホスホン酸、メタンヒドロキシホスホン酸、ニトリロトリメチレンホスホン酸、エチレンジアミンテトラキスメチレンホスホン酸等の有機ホスホン酸誘導体等が挙げられる。これらは１種又は２種以上配合することができる。中でも、１−ヒドロキシエタン−１，１−ジホスホン酸、エチレンジアミンテトラキスメチレンホスホン酸等が好ましい。
【００５１】
［ラジカルトラップ剤］
本発明の液体漂白剤組成物は、過酸化水素及び漂白活性化剤の安定性向上の観点から、ラジカルトラップ剤を含有し得る。ラジカルトラップ剤としては、フェノール系、すなわちフェノール性ＯＨ基を有する化合物、そのエステル誘導体やエーテル誘導体等の誘導体が好ましい。好適な例としては、ジメトキシフェノール、カテコール、ハイドロキノン、メトキシフェノール、ジブチルヒドロキシトルエン（ＢＨＴ）等が挙げられる。
【００５２】
［ハイドロトロープ剤］
本発明の液体漂白剤組成物は、香料等の各種成分を安定する観点から、ハイドロトロープ剤を含有し得る。ハイドロトロープ剤としては、エタノール、イソプロパノール、フェニルポリオキシエチレンアルコール等の１価アルコール類や、エチレングリコール、プロピレングリコール、ポリエチレングリコール、グリセリン等の多価アルコール類等が挙げられる。
【００５３】
その他に本発明の液体漂白剤組成物には、シリコーン類、殺菌剤、蛍光染料、酵素、香料等の任意成分を配合し得る。本発明の液体漂白剤組成物は水を含有し、通常、組成物の残部は水である。本発明の液体漂白剤組成物は、上記（ａ）成分、（ｂ）成分、（ｃ）成分、（ｄ）成分、及び（ｅ）成分を含有する、２０℃におけるｐＨが４〜７の液体漂白剤組成物でもある。本発明の液体漂白剤組成物は、繊維製品、特に衣料用の液体漂白剤組成物として好適である。
【００５４】
本明細書中、液感とは、目視にて観察される組成物の状態を指し、例えば液感が良いとは、透明ないし半透明の液体であって、相分離、白濁又はゲル化していない液体の状態を意味する。
【００５５】
［ｐＨ］
本発明の液体漂白剤組成物は、２０℃におけるｐＨが好ましくは４〜７、より好ましくは４．６〜７、更に好ましくは５〜７において、安定性の向上、特に漂白活性化剤を配合する場合の更なる安定化を実現でき、貯蔵後でも優れた漂白洗浄性能を発現する。
【００５６】
本発明の液体漂白剤組成物は、（ａ）成分、（ｂ）成分、（ｃ）成分、（ｄ）成分、並びに、（ｅ）成分を混合する工程を有する製造方法により得ることができるが、前記のように（ｂ）成分はｐＨの調整にも使用できるため、作業性等の観点からは、（ｂ）成分以外の成分を予め混合し、得られた混合物に（ｂ）成分を添加する方法は好ましい製造方法である。
【実施例】
【００５７】
表１に示す液体漂白剤組成物を調製し、以下の評価を行った。結果を表１に示す。なお、表中、（ｂ）成分もしくは（ｂ）’成分を配合したものは、これら以外の成分の混合物を調製した後、（ｂ）成分もしくは（ｂ）’成分を添加してｐＨを所定値に調整した。（ｂ）成分もしくは（ｂ）’成分を配合しないものは、水酸化ナトリウムによりｐＨを調整した。また、表中の質量％は、原料の全仕込み量中の比率である。
【００５８】
［ｐＨの測定］
液体漂白剤組成物の２０℃のｐＨを、（株）堀場製作所製ｐＨメータＦ５２、ｐＨ電極６３６７−Ｓ００４を用いて測定した。
【００５９】
［漂白活性化剤残存率の算出］
液体漂白剤組成物を１００ｍＬガラス製サンプルビンに８０ｇ入れ、５０℃で２ヶ月間貯蔵した。貯蔵前後の液体漂白剤組成物中の漂白活性化剤含有量を高速液体クロマトグラフィーで測定し、下式により漂白活性化剤残存率を求めた。
【００６０】
【数１】
2007308595.tif 000008
【００６１】
［液感の評価］
１００ｍＬガラス製サンプルビンに液体漂白剤組成物を８０ｇ入れ、５０℃にて２ヶ月間貯蔵した。その後、液の外観を目視により以下の基準で評価した。
評価基準
○：均一透明な液体である。
×：相分離する、完全に白濁している、又はゲル化しており、ほとんど流動しない。
【００６２】
［曇点の評価］
１００ｍＬガラス製サンプルビン（マルエム；Ｎｏ．５）に液体漂白剤組成物８０ｇを入れ、マグネティックスターラーで攪拌しながらウォーターバスで緩やかに昇温し、濁ったところで加熱を止めて冷却した。混合物が透明になったときの温度を曇点とした。
【００６３】
【表１】
2007308595.tif 000009
【００６４】
表中の記号は以下のものである。
・ｃ−１：ｉｓｏ−ノナノイルオキシベンゼンカルボン酸
・ｃ−２：ドデカノイルオキシベンゼンカルボン酸
・ｄ−１ポリオキシエチレンラウリルエーテル（エチレンオキサイド平均付加モル数１２）
・ｄ−２：ポリオキシエチレンアルキル（炭素数１２〜１４の第２級アルキル基）エーテル（エチレンオキサイド平均付加モル数７）